(57)【要約】【課題】  平面波スピーカユニットをエンクロジャー内に収納した構成のスピーカ装置において、エンクロジャーの壁面での反射波の影響が軽減でき、優れた音響特性が得られるようにする。【解決手段】  面音源の平面波を発生する平面波スピーカユニット１１を、エンクロジャー１３に収納する。エンクロジャー１３内には、第１の吸音材２１（ウレタンフォーム）と第２の吸音材２２（ポリエステル綿）とを封入することで、エンクロジャー１３内の壁面の反射波の影響を除去する。更に、エンクロジャー１３を、第１の柔軟素材（ポリプロピレンシート）と第２の柔軟素材（皮又は合成皮革）の柔構造とすることで、エンクロジャー１３内の壁面に当たった音を吸収させる。【選択図】        図３
0003115816.tif 000002
【実用新案登録請求の範囲】
【請求項１】
平面波を発生する平面波スピーカユニットと、
前記平面波スピーカユニットが収納されるエンクロジャーとからなるスピーカ装置であって、
前記エンクロジャー内に吸音材を封入すると共に、前記エンクロジャーを柔軟素材で形成する
ようにしたことを特徴とするスピーカ装置。
【請求項２】
前記吸音材として、吸音特性の異なる２種類の吸音材を用いるようにしたことを特徴とする請求項１に記載のスピーカ装置。
【請求項３】
前記吸音特性の異なる２種類の吸音材は、ポリエステル綿とウレタンフォームであることを特徴とする請求項２に記載のスピーカ装置。
【請求項４】
前記柔軟素材として、柔軟性の異なる２種類の素材を用いるようにしたことを特徴とする請求項１に記載のスピーカ装置。
【請求項５】
前記柔軟性の異なる２種類の素材は、ポリプロピレンシートと、皮又は合成皮革であることを特徴とする請求項４に記載のスピーカ装置。
【考案の詳細な説明】
【技術分野】
【０００１】
本考案は、平面波スピーカユニットを用いたスピーカ装置に関するもので、特に、柔軟性の異なる２種類の素材を用いて構成されたエンクロジャー内に平面波スピーカユニットを取り付けるようにした場合の音響特性の改善に関する。
【背景技術】
【０００２】
従来のスピーカとしては、図５に示すように、コーン型のスピーカ１０１が用いられている。このようなコーン型のスピーカ１０１の場合には、球音源となり、球面波が発生される。このような球面波では、乱反射が生じ、音質を劣化させる。また、球音源の場合には、音圧エネルギーは、距離の二乗に反比例して減衰するため、音源から離れると、明瞭な音響が聞きずらくなる。
【０００３】
これに対して、近年、面音源の平面波を発生する平面波スピーカが注目されている。平面波スピーカ１０２では、図６に示すように、音源が面音源となり、平面波を発生する。平面波の場合には、直進性が良くなり、音源から離れていても、減衰しにくいという特徴を持つ。また、平面波では、直進性が良くなることから、狭指向性となり、乱反射が少なく、明瞭で高音質な音響が再生可能となる。
【０００４】
このように、面音源の平面波を発生する平面波スピーカは、基本的には、特許文献１に示すように、平面上に複数の磁石を配置し、平面上の磁石の面に対して平行に、導体パターンを有する平面状の振動膜を配置して形成される。また、特許文献１には、振動膜を固定していないため、振動膜の周辺部での共振による異音の発生を抑圧することができるようにした平面波スピーカが開示されている。
【特許文献１】特許第３１９２３７２号
【考案の開示】
【考案が解決しようとする課題】
【０００５】
本願出願人は、かかる特徴を有する平面波スピーカユニットを用いたスピーカ装置の開発を進めている。このような平面波スピーカユニットは、振動膜が極めて薄く、軽量に作られている。このため、エンクロジャーに納めないで使用すると、干渉が発生し、歪みも発生し易い。
【０００６】
このように、平面波スピーカユニットをエンクロジャーに収納して使用する場合、平面波スピーカの背面から発生した音のエンクロジャーの壁面での反射波の影響が問題になる。
【０００７】
つまり、図７に示すように、平面波スピーカユニット１１１をエンクロジャー１１３内に収納したとする。この場合、平面波スピーカユニット１１１を駆動すると、その前面方向から音波Ｗ１０１が発生されると共に、その背面から音波Ｗ１０２が発生される。このとき、平面波スピーカユニット１１１の前面からの音波Ｗ１０１と背面からの音波Ｗ１０２とで逆相となる。
【０００８】
平面波スピーカユニット１１１の背面から発生した音波Ｗ１０２は、エンクロジャー１１３内の壁面に反射して、反射波Ｗ１０２ａとして、再び同相で平面波スピーカユニット１１１に戻ってくる。この反射波Ｗ１０２ａは、平面波スピーカユニット１１１の振動膜を振動させる。したがって、平面波スピーカユニット１１１の前面からの音波Ｗ１０１には、反射波Ｗ１０２ａが合成され、音質を劣化させる。
【０００９】
平面波スピーカは、コーン型スピーカに比べて、振動膜が極めて薄く、軽量に作られているため、エンクロジャーの壁面での反射波の影響を強く受ける。特に、エンクロジャーを小型に設計すると、前面の面積の大部分がスピーカユニットで占められることになり、エンクロジャーの壁面での反射波の影響は重大である。
【００１０】
そこで、エンクロジャーの壁面での反射波の影響を軽減するために、エンクロジャーに吸音材を封入することが考えられる。しかしながら、上述のように、平面波スピーカユニットは、エンクロジャーの壁面での反射波の影響を非常に受け易く、吸音材だけでは、反射波の影響を十分に除去することは難しい。
【００１１】
本考案は、上述の課題を鑑み、エンクロジャーの壁面での反射波の影響が軽減でき、優れた音響特性が得られるようにした平面波スピーカユニットを使用したスピーカ装置を提供することを目的とする。
【課題を解決するための手段】
【００１２】
本考案に係るスピーカ装置は、面音源の平面波を発生する平面波スピーカユニットと、平面波スピーカユニットが収納されるエンクロジャーとからなるスピーカ装置であって、エンクロジャー内に吸音材を封入すると共に、エンクロジャーを柔軟な素材で形成するようにしたことを特徴とする。
【００１３】
好ましくは、吸音材として、吸音特性の異なる２種類の吸音材を用いるようにしたことを特徴とする。
【００１４】
好ましくは、吸音特性の異なる２種類の吸音材は、ポリエステル綿とウレタンフォームであることを特徴とする。
【００１５】
好ましくは、エンクロジャーとして、柔軟性の異なる２種類の素材を用いるようにしたことを特徴とする。
【００１６】
好ましくは、柔軟性の異なる２種類の素材は、ポリプロピレンシートと、皮又は合成皮革であることを特徴とする。
【考案の効果】
【００１７】
本考案によれば、面音源の平面波を発生する平面波スピーカユニットと、平面波スピーカユニットが収納されるエンクロジャーとからなるスピーカ装置であって、エンクロジャー内に吸音材を封入すると共に、エンクロジャーを柔軟な素材で形成するようにしている。エンクロジャー内に吸音材を封入することで、平面波スピーカの背面から発生した音が吸音される。更に、エンクロジャーを柔軟な素材で形成することで、エンクロジャーの壁面に到達した音が吸収される。これにより、エンクロジャーの壁面での反射波の影響を除去することができる。
【００１８】
また、本考案によれば、吸音材として、吸音特性の異なる２種類の吸音材を用いるようにしている。すなわち、吸音特性の異なる２種類の吸音材を、ポリエステル綿とウレタンフォームとしている。これにより、吸音材で吸音できる帯域を広げることができる。
【００１９】
また、本考案によれば、エンクロジャーとして、柔軟性の異なる２種類の素材を用いるようにしている。すなわち、柔軟性の異なる２種類の素材を、ポリプロピレンシートと、皮又は合成皮革としている。これにより、エンクロジャーの壁面で吸音できる帯域を広げることができる。
【考案を実施するための最良の形態】
【００２０】
以下、本考案の実施の形態について図面を参照しながら説明する。図１は、本考案の実施形態のスピーカ装置１の外観構成を示すものである。
【００２１】
図１において、符号１１は平面波スピーカユニットである。平面波スピーカユニット１１は、平面上に複数の磁石を配置し、この平面上の磁石の面に対して平行に、導体パターンを有する平面状の振動膜を配置し、導体パターンに信号を供給して、振動膜を振動させることで、面音源の平面波を発生する。
【００２２】
平面波スピーカユニット１１は、バッフル板１２に取り付けられる。そして、バッフル板１２がエンクロジャー１３の前面に取り付けられる。エンクロジャー１３の底面には、角度調整板１４が取り付けられる。また、エンクロジャー１３の側面には、コネクタ１５が設けられる。コネクタ１５には、図示されていないが、平面波スピーカユニット１１からのケーブルが接続されている。
【００２３】
図２は、本考案の実施形態のスピーカ装置１のＡ−Ａ断面図を示し、図３は、本考案の実施形態のスピーカ装置１のＢ−Ｂ断面図を示すものである。
【００２４】
図２及び図３に示すように、エンクロジャー１３の内部には、第１の吸音材２１と第２の吸音材２２とが封入される。第１の吸音材２１はエンクロジャー１３の背面近くに封入され、第２の吸音材２２がその前面に封入される。第１の吸音材２１は例えばウレタンフォーム等からなり、第２の吸音材２２はポリエステル綿等からなり、第１の吸音材２１と第２の吸音材２２とでは、その吸音特性が異なっている。
【００２５】
また、図２及び図３に示すように、エンクロジャー１３は、第１の柔軟素材３１と、第２の柔軟素材３２との二重構造で形成される。第１の柔軟素材３１は、例えばポリプロピレンシート等であり、第２の柔軟素材３２は、例えば、皮又は合成皮革である。図２及び図３に示すように、エンクロジャー１３の内側は、ポリプロピレンシート等の第１の柔軟素材３１で形成され、その外側は、皮や合成皮革等の第２の柔軟素材３２で覆われる。
【００２６】
図４は、本考案の実施形態のスピーカ装置を使用するときの状態を示すものである。
【００２７】
本考案の実施形態のスピーカ装置を使用するときには、図４に示すように、本考案の実施形態のスピーカ装置１ａ及び１ｂを左右に配置する。そして、テレビやステレオ等の音響機器４１の音声出力端子と、スピーカ装置１ａ及び１ｂのコネクタ１５とをケーブル４２ａ及び４２ｂで接続する。
【００２８】
音響機器４１の音声出力端子からは、音声信号が出力される。この音声信号は、ケーブル４２ａ及び４２ｂを介して、スピーカ装置１ａ及び１ｂのコネクタ１５に送られ、スピーカ装置１ａ及び１ｂの平面波スピーカユニット１１に供給される。これにより、スピーカ装置１ａ及び１ｂの平面波スピーカユニット１１が駆動され、スピーカ装置１ａ、１ｂの平面波スピーカユニット１１から平面波が発生される。
【００２９】
なお、平面波スピーカは狭指向性である。そこで、本考案の実施形態のスピーカ装置１では、エンクロジャー１３の底面に角度調整板１４が取り付けられており、この角度調整板１４により、スピーカ装置１の仰角を調整できるようにしている。
【００３０】
図２及び図３に示したように、本考案の実施形態のスピーカ装置１では、エンクロジャー１３の内部には、第１の吸音材２１と第２の吸音材２２とが封入されている。また、エンクロジャー１３は、第１の柔軟素材３１と、第２の柔軟素材３２との二重構造で形成されている。このような構造とすることで、エンクロジャー１３の壁面での反射波の影響を除去することができる。
【００３１】
つまり、平面波スピーカユニット１１からは、前面方向と背面方向とに音波が出力される。背面から発生した音は、エンクロジャー１３内の壁面で反射して、再び同相で平面波スピーカユニット１１の背面に戻り、その反射波は、平面波スピーカユニット１１の振動膜を振動させ、そのまま、平面波スピーカユニット１１の前面から放出される。この反射波は、本来の前面から出る音に合成され、音質を劣化させる。
【００３２】
そこで、本考案の実施形態のスピーカ装置１では、エンクロジャー１３内に、ウレタンフォーム等の第１の吸音材２１と、ポリエステル綿等の第２の吸音材２２との２種類の吸音材が封入される。平面波スピーカユニット１１の背面から発生した音は、第１の吸音材２１と第２の吸音材２２との２種類の吸音材により吸音される。これにより、平面波スピーカユニット１１の背面からの音のエンクロジャー１３の壁面での反射波の影響を除去することができる。
【００３３】
また、本考案の実施形態のスピーカ装置１では、吸音材として、材質の異なる第１の吸音材２１と第２の吸音材２２とを用いている。これにより、吸音できる帯域を広げることができる。
【００３４】
このように、本考案の実施の形態のスピーカ装置１では、エンクロジャー１３内に、第１の吸音材２１と第２の吸音材２２とを封入することで、エンクロジャー１３内の壁面の反射波の影響を除去するようにしている。しかしながら、平面波スピーカユニット１１の場合には、振動膜は非常に薄く、軽量であるため、第１の吸音材２１及び第２の吸音材２２だけでは、反射波の影響を十分に除去することは難しい。
【００３５】
そこで、本考案の実施の形態のスピーカ装置１では、エンクロジャー１３を、第１の柔軟素材３１と、第２の柔軟素材３２との二重構造で形成するようにしている。
【００３６】
つまり、本考案が適用されたスピーカ装置１では、エンクロジャー１３は、ポリプロピレンシート等の第１の柔軟素材３１と、皮革や合成皮革等の第２の柔軟素材３２とから形成されている。このため、エンクロジャー１３の壁面に到達した音は、エンクロジャー１３を形成する第１の柔軟素材３１と第２の柔軟素材３２とにより吸収される。したがって、平面波スピーカユニット１１の背面からの音が第１の吸音材２１と第２の吸音材２２では完全には吸音されなかったとしても、エンクロジャー１３の壁面での反射波となって、平面波スピーカユニット１１に戻ることは少なくなる。
【００３７】
また、本考案の実施形態のスピーカ装置１では、エンクロジャー１３を、材質の異なる第１の柔軟素材３１と第２の柔軟素材３２とを用いて形成している。このように材質の異なる２種類の柔軟素材３１及び３２を用いることで、吸音できる帯域を広げることができる。
【００３８】
本考案は、上述した実施形態に限定されるものではなく、本考案の要旨を逸脱しない範囲内で様々な変形や応用が可能である。
【産業上の利用可能性】
【００３９】
本考案は、エンクロジャー内の平面波スピーカユニットを取り付けるようにしたスピーカ装置に用いて好適である。
【図面の簡単な説明】
【００４０】
【図１】本考案の実施の形態のスピーカ装置の外観構成を示す斜視図である。
【図２】本考案の実施の形態のスピーカ装置の構成を示す平面端面図である。
【図３】本考案の実施の形態のスピーカ装置の構成を示す側面端面図である。
【図４】本考案の実施形態のスピーカ装置の使用時の説明に用いる図である。
【図５】コーン型スピーカからの音波の特性の説明図である。
【図６】平面波スピーカからの音波の特性の説明図である。
【図７】エンクロジャーの反射波の影響の説明図である。
【符号の説明】
【００４１】
１、１ａ、１ｂ  スピーカ装置
１１  平面波スピーカユニット
１２  バッフル板
１３  エンクロジャー
１４  角度調整板
１５  コネクタ
２１  第１の吸音材
２２  第２の吸音材
３１  第１の柔軟素材
３２  第２の柔軟素材
４１  音響機器
【図１】
0003115816.tif 000003
【図２】
0003115816.tif 000004
【図３】
0003115816.tif 000005
【図４】
0003115816.tif 000006
【図５】
0003115816.tif 000007
【図６】
0003115816.tif 000008
【図７】
0003115816.tif 000009